(57)【要約】【課題】視聴者の所望の放送番組のみを表示し且つ室内装飾性を向上する。【解決手段】恣意コンテンツ情報記憶手段１３には視聴者によって任意に選択された恣意コンテンツの放送予定を示す恣意コンテンツ情報が記憶される。そして、起動時、要求受付時等の予め定められたタイミング等で、表示制御手段１１ａは例えば任意の動画、背景画像等の室内装飾情報を表示手段１８ａに常時表示する。そして、恣意コンテンツ情報記憶手段１３が記憶している恣意コンテンツ情報に基づいて、放送開始検出手段１１ｂが恣意コンテンツの放送開始を検出すると、表示制御手段１１ａは表示手段に１８ａに表示している室内装飾情報を当該恣意コンテンツの映像にその放送機関中は切り換えて表示する。【選択図】図１
2008244951.tif 000002
【特許請求の範囲】
【請求項１】
任意に定められた室内装飾情報を表示手段に表示する室内装飾情報表示装置であって、
視聴者によって任意に選択された恣意コンテンツの放送予定を示す恣意コンテンツ情報を記憶する恣意コンテンツ情報記憶手段と、
前記表示手段に前記室内装飾情報を常時表示する表示制御手段と、
前記恣意コンテンツ情報記憶手段が記憶している恣意コンテンツ情報に基づいて、前記恣意コンテンツの放送開始を検出する放送開始検出手段と、
を有し、
前記表示制御手段が、前記放送開始検出手段による放送開始の検出に応じて、当該恣意コンテンツの放送期間中は前記表示手段に表示している室内装飾情報を当該恣意コンテンツの映像に切り換えて表示する手段であることを特徴とする室内装飾情報表示装置。
【請求項２】
前記放送開始検出手段が放送開始を検出した恣意コンテンツの放送終了を検出する放送終了検出手段を有し、
前記表示制御手段が、前記放送終了検出手段による放送終了の検出に応じて、前記表示手段に表示している恣意コンテンツ情報を前記室内装飾情報に切り換えて表示する手段であることを特徴とする請求項１に記載の室内装飾情報表示装置。
【請求項３】
前記放送開始検出手段が放送開始を検出した恣意コンテンツの放送開始を前記視聴者に通知する通知手段を有することを特徴とする請求項１又は２に記載の室内装飾情報表示装置。
【請求項４】
請求項１〜３の何れか１項に記載の室内装飾情報表示装置を有するテレビション受信機において、
前記室内装飾情報表示装置の恣意コンテンツ情報記憶手段は、前記テレビジョン受信機に入力された映像信号が有する番組情報に基づいて前記恣意コンテンツ情報を生成する恣意コンテンツ情報生成手段を有し、前記恣意コンテンツ情報記憶手段が前記恣意コンテンツ情報生成手段によって生成された恣意コンテンツ情報を記憶し、そして、前記表示制御手段が前記映像信号から恣意コンテンツ情報を抽出して前記表示手段に表示する手段であることを特徴とするテレビション受信機。
【請求項５】
任意に定められた室内装飾情報を表示手段に表示するテレビジョン受信機の室内装飾情報表示方法であって、
視聴者によって任意に選択された恣意コンテンツの放送予定を示す恣意コンテンツ情報を恣意コンテンツ情報記憶手段に記憶する記憶工程と、
前記表示手段に前記室内装飾情報を常時表示する常時表示工程と、
前記恣意コンテンツ情報記憶手段が記憶している恣意コンテンツ情報に基づいて、前記恣意コンテンツの放送開始を検出したときに、当該恣意コンテンツの放送期間中は前記表示手段に表示している室内装飾情報を当該恣意コンテンツの映像に切り換えて表示する切替表示工程と、
を有することを特徴とする室内装飾情報表示方法。
【発明の詳細な説明】
【技術分野】
【０００１】
本発明は、任意に定められた室内装飾情報を表示手段に表示する室内装飾情報表示装置テレビジョン受信機、及び、室内装飾情報表示方法等に関するものである。
【背景技術】
【０００２】
近年、消費者向けテレビジョン（ＴＶ）受信機の画面サイズが大型化しているが、そのＴＶ受信機が表示されていないと、室内が殺風景になってしまう。そこで、その大画面の特質を活かして、家庭等での使用においても、所望の放送コンテンツが放送されていない期間は、環境ビデオなどの恣意的な視聴ではない製作された映像コンテンツを画面に表示して、装飾家具（インテリア）の一種として使用することが考えられている。
【０００３】
特許文献１に示す環境映像再生システムは、外部自然環境条件の変動に対応して変化を示す１／ｆゆらぎ特性を有する自然動作情報と、同様に外部自然環境条件の変動に対応した変化を示すＣＧ画像情報とを重ねて合成画像情報を生成して再生する技術思想が記載されている。
【特許文献１】特開平７−２６２４０３号公報
【発明の開示】
【発明が解決しようとする課題】
【０００４】
また、一般家庭において、テレビの視聴形態の一つとしては、ＴＶ受信機を常時表示させておく「ながら視聴」がある。この「ながら視聴」とは、意図的な視聴を目的とした番組が放映されていない時間期間において、ＴＶ視聴とは別の行為を行い、ＴＶ受信機の画面を恣意的には見ない状態となっている。そして、所望の放送番組が始まったら、その番組を視聴するために画面を恣意的に視聴する状態になる。
【０００５】
例えば、家庭で主婦は洗濯物の処置等を考える上で天気予報を重要視しているが、この天気予報が放映されていないときは、天気予報の放映を待ちながら別の仕事、例えばＴＶ受信機の設置されている部屋の掃除をし、ひとたび天気予報が放映開始されれば、それを注視するという行為に至っている。
【０００６】
しかしながら、視聴者によっては所望の放送番組以外は視聴したくないが、ＴＶ受信機は表示させておかないと、所望の番組を見逃してしまう可能性が高くなるため、「ながら視聴」を行っているという視聴者も存在している。このようにＴＶ受信機は常時表示させておきたいが、所望の放送番組以外の番組も表示されてしまうという相反する問題を従来のＴＶ受信機は有していた。また、ＴＶ受信機の室内装飾（インテリア）性をより向上させたいとの要望も、画面の大型化に伴って大きくなっている。本発明が解決しようとする課題は、上記した問題が一例として挙げられる。
【０００７】
よって本発明は、上述した問題点に鑑み、視聴者の所望の放送番組のみを表示し且つ室内装飾性を向上することができる室内装飾情報表示装置、テレビジョン受信機、及び、室内装飾情報表示方法等を提供することを課題としている。
【課題を解決するための手段】
【０００８】
上記課題を解決するため本発明によりなされた請求項１記載の室内装飾情報表示装置は、任意に定められた室内装飾情報を表示手段に表示する室内装飾情報表示装置であって、視聴者によって任意に選択された恣意コンテンツの放送予定を示す恣意コンテンツ情報を記憶する恣意コンテンツ情報記憶手段と、前記表示手段に前記室内装飾情報を常時表示する表示制御手段と、前記恣意コンテンツ情報記憶手段が記憶している恣意コンテンツ情報に基づいて、前記恣意コンテンツの放送開始を検出する放送開始検出手段と、を有し、前記表示制御手段が、前記放送開始検出手段による放送開始の検出に応じて、当該恣意コンテンツの放送期間中は前記表示手段に表示している室内装飾情報を当該恣意コンテンツの映像に切り換えて表示する手段であることを特徴とする。
【０００９】
上記課題を解決するため本発明によりなされた請求項４記載のテレビジョン受信機は、請求項１〜３の何れか１項に記載の室内装飾情報表示装置を有するテレビション受信機において、前記室内装飾情報表示装置の恣意コンテンツ情報記憶手段は、前記テレビジョン受信機に入力された映像信号が有する番組情報に基づいて前記恣意コンテンツ情報を生成する恣意コンテンツ情報生成手段を有し、前記恣意コンテンツ情報記憶手段が前記恣意コンテンツ情報生成手段によって生成された恣意コンテンツ情報を記憶し、そして、前記表示制御手段が前記映像信号から恣意コンテンツ情報を抽出して前記表示手段に表示する手段であることを特徴とする。
【００１０】
上記課題を解決するため本発明によりなされた請求項５記載の室内装飾情報表示方法は、任意に定められた室内装飾情報を表示手段に表示するテレビジョン受信機の室内装飾情報表示方法であって、視聴者によって任意に選択された恣意コンテンツの放送予定を示す恣意コンテンツ情報を恣意コンテンツ情報記憶手段に記憶する記憶工程と、前記表示手段に前記室内装飾情報を常時表示する常時表示工程と、前記恣意コンテンツ情報記憶手段が記憶している恣意コンテンツ情報に基づいて、前記恣意コンテンツの放送開始を検出したときに、当該恣意コンテンツの放送期間中は前記表示手段に表示している室内装飾情報を当該恣意コンテンツの映像に切り換えて表示する切替表示工程と、を有することを特徴とする。
【発明を実施するための最良の形態】
【００１１】
以下、本発明に係る室内装飾情報表示装置及びテレビジョン受信機の一最良の形態を、図１の図面を参照して以下に説明する。
【００１２】
図１において、室内装飾情報表示装置１は、任意に定められた室内装飾情報を表示手段１８ａに表示する室内装飾情報表示装置１であって、視聴者によって任意に選択された恣意コンテンツの放送予定を示す恣意コンテンツ情報を記憶する恣意コンテンツ情報記憶手段１３と、前記表示手段１８ａに前記室内装飾情報を常時表示する表示制御手段１１ａと、前記恣意コンテンツ情報記憶手段１３が記憶している恣意コンテンツ情報に基づいて、前記恣意コンテンツの放送開始を検出する放送開始検出手段１１ｂと、を有し、前記表示制御手段１１ａが、前記放送開始検出手段１１ｂによる放送開始の検出に応じて、当該恣意コンテンツの放送期間中は前記表示手段１８ａに表示している室内装飾情報を当該恣意コンテンツの映像に切り換えて表示する手段となっている。
【００１３】
この室内装飾情報表示装置１によれば、恣意コンテンツ情報記憶手段１３には視聴者によって任意に選択された恣意コンテンツの放送予定を示す恣意コンテンツ情報が記憶される。そして、起動時、要求受付時等の予め定められたタイミング等で、表示制御手段１１ａは例えば任意の動画、背景画像等の室内装飾情報を表示手段１８ａに常時表示する。そして、恣意コンテンツ情報記憶手段１３が記憶している恣意コンテンツ情報に基づいて、放送開始検出手段１１ｂが恣意コンテンツの放送開始を検出すると、表示制御手段１１ａは表示手段に１８ａに表示している室内装飾情報を当該恣意コンテンツの映像にその放送機関中は切り換えて表示する。なお、恣意コンテンツとは、視聴者が恣意的視聴を目的とするコンテンツを意味している。
【００１４】
よって、通常時は室内装飾情報を常時表示し、視聴者によって任意に選択された恣意コンテンツの放送開始に応じて、その放送機関中は室内装飾情報から恣意コンテンツの映像に切り換えて表示するようにしたことから、通常時は装飾家具として用いることができ且つ視聴者が視聴したい恣意コンテンツのみが表示されるため、視聴者を煩わすことなく視聴者の所望の放送番組のみを表示し且つ室内装飾性を向上することができる。
【００１５】
また、室内装飾情報表示装置１は、前記放送開始検出手段１１ｂが放送開始を検出した恣意コンテンツの放送終了を検出する放送終了検出手段１１ｃを有し、前記表示制御手段１１ａが、前記放送終了検出手段１１ｃによる放送終了の検出に応じて、前記表示手段１８ａに表示している恣意コンテンツ情報を前記室内装飾情報に切り換えて表示する手段となっている。
【００１６】
この室内装飾情報表示装置１によれば、視聴者によって任意に選択された恣意コンテンツの放送開始に応じて室内装飾情報から恣意コンテンツの映像に切り換えて表示した後、その恣意コンテンツの放送終了に応じて室内装飾情報に切り換えて表示することができるため、視聴者が視聴したい恣意コンテンツのみを表示し、視聴したくないコンテンツを確実に排除することができる。
【００１７】
また、室内装飾情報表示装置１は、前記放送開始検出手段１１ｂが放送開始を検出した恣意コンテンツの放送開始を前記視聴者に通知する通知手段１１ｄを有している。
【００１８】
この室内装飾情報表示装置１によれば、視聴者によって任意に選択された恣意コンテンツの放送開始を視聴者に通知することができるため、視聴者が視聴したい恣意コンテンツを確実に視聴することができ、ながら視聴を支援することができる。
【００１９】
また、テレビジョン受信機１０は、上述した何れかの室内装飾情報表示装置１を有するテレビション受信機１０において、前記室内装飾情報表示装置１は、前記テレビジョン受信機に入力された映像信号が有する番組情報に基づいて前記恣意コンテンツ情報を生成する恣意コンテンツ情報生成手段１１ｅを有し、前記恣意コンテンツ情報記憶手段１３が前記恣意コンテンツ情報生成手段１１ｅによって生成された恣意コンテンツ情報を記憶し、そして、前記表示制御手段１１ａが前記映像信号から恣意コンテンツ情報を抽出して前記表示手段１８ａに表示する手段となっている。
【００２０】
このテレビジョン受信機１０によれば、室内装飾情報表示装置１は映像信号が有するＥＰＧ（Electric Program Guide、Electronic Program Guide）等の番組情報に基づいて恣意コンテンツ情報を生成すると、該恣意コンテンツ情報は恣意コンテンツ情報記憶手段１３に記憶される。そして、表示制御手段１１ａは映像信号から恣意コンテンツ情報を抽出して表示手段１８ａに表示する。
【００２１】
このようにテレビジョン受信機１０において、通常時は室内装飾情報を常時表示し、視聴者によって任意に選択された恣意コンテンツの放送開始に応じて、その放送機関中は室内装飾情報から恣意コンテンツの映像に切り換えて表示するようにしたことから、通常時は装飾家具として用いることができ且つ視聴者が視聴したい恣意コンテンツのみが表示されるため、視聴者を煩わすことなく視聴者の所望の放送番組のみを表示し且つ室内装飾性を向上することができ、また、テレビジョン受信機１０の新たな表示形態を提供することができる。
【実施例】
【００２２】
次に、本発明に係る室内装飾情報表示装置をテレビジョン受信機に適用した場合の実施例を、図２〜図４の図面を参照して以下に説明する。なお、前述したところで説明したものと同一あるいは相当する部分には同一符号を付している。
【００２３】
図２において、本発明の室内装飾情報表示装置としてのテレビジョン受信機（以下、ＴＶとも云う）１０は、制御部１１と、メモリ１２と、記憶部１３と、チューナ１４と、チャンネル回路１５と、再生部１６と、切替回路１７と、出力部１８と、操作部１９と、を有している。なお、本実施例では、ＴＶ１０が室内装飾情報表示装置である場合について説明するが、本発明はこれに限定するものではなく、チューナ１４を内蔵しないテレビモニタ等で実現するなど種々異なる実施形態とすることができる。
【００２４】
制御部１１は、ＴＶ１０全体の制御を司る。制御部１１は、周知であるマイクロプロセッサユニット、ＤＳＰ（Digital Signal Processor）等が用いられる。制御部１１は、上述した室内装飾情報表示装置としての表示制御手段、放送開始検出手段、放送終了検出手段、通知手段、及び、恣意コンテンツ情報生成手段等の各手段として機能するための室内装飾情報表示処理プログラム等の各種プログラムを、図示しない内蔵メモリに記憶しており、それらのプログラムを実行することで各手段として機能することになる。そして、制御部１１は、メモリ１２、記憶部１３、チューナ１４、チェンネル回路１５、切替回路１６等との各々に電気的に接続している。
【００２５】
メモリ１２は、ＥＥＰＲＯＭ（electrically erasable and programmable ROM）、ＲＡＭ（random access memory）等が用いられる。メモリ１２は、複数の恣意コンテンツ情報Ｄ１、表示モード情報Ｄ２、取得した電子番組情報等の各種情報が記憶される。そして、制御部１１は、メモリ１２に記憶している各種情報を参照して処理を行う。
【００２６】
恣意コンテンツ情報Ｄ１は、視聴者によって任意に選択された恣意コンテンツの放送予定を示す情報となっている。例えば、コンテンツ（番組タイトル）名、放送日時、放送時間等の各種データを有している。そして、視聴者によって恣意コンテンツが複数選択されている場合、メモリ１２には複数の恣意コンテンツ情報Ｄ１が時系列的に記憶されている。よって、制御部１１は複数の恣意コンテンツ情報Ｄ１を順次参照することで、恣意コンテンツのスケジュールを把握することができる。なお、恣意コンテンツ情報Ｄ１は、選択された恣意コンテンツの放送開始日時を判別できる構成であれば、種々異なるデータ構造とすることができる。
【００２７】
また、制御部１７は、予め定められた恣意コンテンツ設定プログラムを実行することで、表示部１８ａに設定画面を表示し、該設定画面に対して操作部１９を介して入力された入力データを取得する。なお、入力データは、例えば恣意コンテンツのキーワード、メタデータ、種類、放送番組名など任意に定めることができる。そして、チューナ１４から電子番組情報等を取得し、該電子番組情報から前記入力データに関する放送に関するデータを収集して恣意コンテンツ情報Ｄ１としてメモリ１２に時系列的に記憶する。このように制御部１７は、上述した恣意コンテンツ情報生成手段として機能する。
【００２８】
なお、恣意コンテンツ情報Ｄ１の生成方法については、インターネットを介して放送番組情報を取得して、恣意コンテンツのキーワード、メタデータ等に基づいて恣意コンテンツ情報Ｄ１を生成する、視聴者に恣意コンテンツの各種情報を入力させて恣意コンテンツ情報Ｄ１を生成するなど種々異なる方法を用いることができる。また、恣意コンテンツ情報Ｄ１に優先順位を示すデータを設けて、恣意コンテンツが重なった場合にその優先順位に基づいて出力する恣意コンテンツを決定する実施例とすることもできる。
【００２９】
表示モード情報Ｄ２は、室内装飾表示モードのＯＮ／ＯＦＦを示すモードデータを有しており、ＴＶ１０の視聴者等が操作部１９を操作することでＯＮ／ＯＦＦが設定される。詳細には、通常時に室内装飾情報Ｄ３を常時表示させる場合にＯＮ、常時表示させない場合にＯＦＦが視聴者の選択等によって表示モード情報Ｄ２に設定される。
【００３０】
記憶部１３は、ハードディスク装置等のメモリ１２よりも記憶容量の大きな各種記憶媒体が用いられる。記憶部１３は、室内装飾情報Ｄ３等の各種情報を記憶している。なお、記憶部１３としては、ＤＶＤ（Digital Versatile Disc：ＤＶＤ−Audio、ＤＶＤ−Video、ＤＶＤ−Ｒ、ＤＶＤ−ＲＷ等の総称）、ブルーレイ・ディスク（Blu-ray Disc）、ＨＤ（High Definition）  ＤＶＤ等の次世代メディア、磁気記録媒体（例えばHDD（Hard Disk Drive））又はカード型記録媒体（例えば、メモリースティックやＳＤカード等）等の記録媒体を用いることができる。
【００３１】
室内装飾情報Ｄ３は、例えば環境ビデオコンテンツ、背景映像等の映像データや静止画、絵画等の画像データを表示部１８ａに表示するための情報となっている。なお、本実施例では、室内装飾情報Ｄ３をＭＰＥＧ２（moving picture experts group phase 2）方式の映像データを有する場合について説明するが、室内装飾情報Ｄ３はＴＶ１０の視聴者が任意に設定することができる。
【００３２】
チューナ１４は、アンテナ１４ａに誘起したテレビ放送電波の中からチャンネル回路１５の指示に従って所望のチャンネルの放送電波を選択し、中間周波数に変換して切替回路１７へ出力する。そして、チャンネル回路１５は、操作部１９による視聴者等の操作に応じて制御部１１から要求されたチャンネルをチューナ１４に指示する。
【００３３】
再生部１６は、制御部１１から指定された記憶部１３の室内装飾情報を再生することで、ＭＰＥＧ２等で圧縮されている映像、音声データを伸張して元のデータに復元し、再生信号として切替回路１７に出力する。
【００３４】
切替回路１７は、室内装飾表示状態とＴＶ表示状態とを有している。室内装飾表示状態の場合は、再生部１６からの再生信号を増幅した後、映像検波、周期分離、音声検波等の処理を行い、その信号の映像信号を表示部１８ａへ出力するとともに、その音声信号をスピーカ１８ｂへ出力する。また、ＴＶ表示状態の場合はチューナ１４から送られてくるテレビ信号を上述したように表示部１８ａとスピーカ１８ｂへそれぞれ出力する。
【００３５】
出力部１８は、表示部１８ａとスピーカ１８ｂを有し、上述した表示手段として機能している。表示部１８ａは、例えば、液晶ディスプレイなどによって構成されており、図示しないインタフェースを介して切替回路１７に接続されている。スピーカ１８ｂは、図示しないアンプを有する構成となっており、切替回路１７から入力される音声信号を増幅して外部に出力する。
【００３６】
操作部１９は、図示しないが、操作スイッチとリモコン（リモート・コントローラ）用受信機を有し、制御部１１に接続されている。ＴＶ１０に付属されたリモコンや操作スイッチの操作に応じた制御情報を制御部１１に出力する構成となっている。
【００３７】
次に、上述した制御部１１が実行する室内装飾情報表示処理の一例を、図３に示すフローチャートを参照して以下に説明する。
【００３８】
制御部１１によって室内装飾情報表示処理プログラムが実行されると、ステップＳ１１において、メモリ１２の表示モード情報Ｄ２に基づいて、室内装飾モードであるか否かが判定される。室内装飾モードではないと判定された場合（Ｓ１１でＮ）、ステップＳ１２（表示制御手段）において、切替回路１７にＴＶ表示状態への切り替えが要求され、その後ステップＳ１１に戻り、一連の処理が繰り返される。なお、このＴＶ表示状態への切り替えによって切替回路１７は、チューナ１４から送られてくるテレビ信号を出力部１８に出力する。
【００３９】
また、ステップＳ１１において室内装飾モードであると判定された場合（Ｓ１１でＹ）、ステップＳ１３（表示制御手段）において、切替回路１７に室内装飾表示状態への切り替えが要求され、ステップＳ１４において、記憶部１３に記憶している室内装飾情報Ｄ３の再生が再生部１６に要求され、その後ステップＳ１５に進む。なお、これらの処理によって切替回路１７は室内装飾表示状態へ切り替わり、再生部１６からの再生信号を出力部１８に出力する。
【００４０】
ステップＳ１５（放送開始検出手段）において、メモリ１２に記憶している放送開始日時の最も近い恣意コンテンツ情報Ｄ１と図示しない時計ＩＣ等から取得した日時データとに基づいて、恣意コンテンツの放送開始時刻であるか否かが判定される。放送開始時刻ではないと判定された場合（Ｓ１５でＮ）、この判定処理を所定間隔で繰り返すことで、放送開始時刻を待つ。一方、放送開始時刻であると判定された場合（Ｓ１５でＹ）、ステップＳ１６に進む。
【００４１】
ステップＳ１６において、室内装飾情報Ｄ３の再生終了が再生部１６に要求され、ステップＳ１７（通知手段、表示制御手段）において、放送開始を通知するための通知情報が切替回路１７を介して出力部１８から出力され、切替回路１７にＴＶ表示状態への切り替えが要求され、その後ステップＳ１８に進む。なお、このＴＶ表示状態への切り替えによって切替回路１７は、チューナ１４から送られてくるテレビ信号を出力部１８に出力する。
【００４２】
ステップＳ１８（放送終了検出手段）において、表示対象となっている恣意コンテンツ情報Ｄ１の放送終了日時と図示しない時計ＩＣ等から取得した日時データとに基づいて、恣意コンテンツの放送終了時刻であるか否かが判定される。放送終了時刻ではないと判定された場合（Ｓ１８でＮ）、この判定処理を繰り返すことで、放送終了時刻を待つ。一方、放送終了時刻であると判定された場合（Ｓ１８でＹ）、ステップＳ１１に戻り、一連の処理が繰り返される。
【００４３】
次に、上述した構成によるＴＶ１０の動作（作用）の一例を、図４の図面を参照して以下に説明する。
【００４４】
時間Ｔ０において、表示モード情報Ｄ２に室内装飾モードが設定されたＴＶ１０が起動されると、予め定められた室内装飾情報Ｄ３が再生されて表示部１８ａに表示される。そして、視聴者は操作部１９を操作して、例えば「天気予報」を設定すると、ＴＶ１０はチューナ１４から電子番組情報を取得し、天気予報に関する番組に関するデータを収集して恣意コンテンツ情報Ｄ１としてメモリ１２に記憶する（記憶工程）。なお、恣意コンテンツ情報Ｄ１には、時間Ｔ１を示す放送開始時間データが設定されている。
【００４５】
ＴＶ１０は、恣意コンテンツ情報Ｄ１に基づいて、恣意コンテンツＤ１の放送が開始する時間Ｔ１を監視して待つ。この間は表示部１８ａに室内装飾情報Ｄ３が表示されていることになる（常時表示工程）。そして、時間Ｔ１において、ＴＶ１０は放送開始時間を検出すると、切替回路１７を切り替えてチューナ１４からのテレビ信号を出力部１８に出力することで、表示部１８ａには天気予報が表示される（切替表示工程）。
【００４６】
時間Ｔ２において、ＴＶ１０は放送終了時間を検出すると、切替回路１７を切り替えて再生部１６からの再生信号を出力に出力部１８に出力することで、表示部１８ａには室内装飾情報Ｄ３が表示される。
【００４７】
以上説明したＴＶ１０によれば、通常時は室内装飾情報Ｄ３を常時表示し、視聴者によって任意に選択された恣意コンテンツの放送開始に応じて、その放送機関中は室内装飾情報Ｄ３から恣意コンテンツの映像に切り換えて表示するようにしたことから、通常時は装飾家具として用いることができ且つ視聴者が視聴したい恣意コンテンツのみが表示されるため、視聴者を煩わすことなく視聴者の所望の放送番組のみを表示し且つ室内装飾性を向上することができ、また、ＴＶ１０の新たな表示形態を提供することができる。
【００４８】
また、視聴者によって任意に選択された恣意コンテンツの放送開始に応じて室内装飾情報Ｄ３から恣意コンテンツの映像に切り換えて表示した後、その恣意コンテンツの放送終了に応じて室内装飾情報Ｄ３に切り換えて表示することができるため、視聴者が視聴したい恣意コンテンツの映像のみを表示し、視聴したくないコンテンツの映像を確実に排除することができる。
【００４９】
さらに、視聴者によって任意に選択された恣意コンテンツの放送開始を視聴者に通知することができるため、視聴者が視聴したい恣意コンテンツの映像を確実に視聴することができ、ながら視聴を支援することができる。
【００５０】
なお、上述した実施例では、恣意コンテンツの映像を表示している間は室内装飾情報Ｄ３の再生を停止する場合について説明したが、室内装飾情報Ｄ３を常時再生して切り換え制御のみで対応するなど種々異なる実施形態とすることができる。
【００５１】
また、、上述した本実施例では、室内装飾情報表示装置をＴＶ１０で実現する場合について説明したが、本発明はこれに限定するものではなく、例えば、パーソナル・コンピュータの映像配信システムなどにも適用することができる。
【００５２】
さらに、上述した本実施例では、恣意コンテンツの映像にＣＭ（commercial message）を有している場合、そのＣＭ開始を検出し、その間は室内装飾情報Ｄ３を表示し、ＣＭ終了の検出に応じて恣意コンテンツの映像に切り換える実施例とすることもできる。
【００５３】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００５４】
【図１】本発明に係る室内装飾情報表示装置及びテレビション受信機の基本構成を示す構成図である。
【図２】室内装飾情報表示装置を有するテレビジョン受信機の実施例に係る概略構成の一例を示す構成図である。
【図３】図２中の制御部が実行する室内装飾情報表示処理の一例を示すフローチャートである。
【図４】図２におけるテレビジョン受信機の動作の一例を説明するための図である。
【符号の説明】
【００５５】
１    室内装飾情報表示装置
１０    テレビジョン受信機（ＴＶ）
１１ａ    表示制御手段（制御部）
１１ｂ    放送開始検出手段（制御部）
１１ｃ    放送終了検出手段（制御部）
１１ｄ    通知手段（制御部）
１３    恣意コンテンツ情報記憶手段（記憶部）
１８ａ    表示手段（表示部）
【図１】
2008244951.tif 000003
【図２】
2008244951.tif 000004
【図３】
2008244951.tif 000005
【図４】
2008244951.tif 000006